(57)【特許請求の範囲】
【請求項１】
複数のアンテナを用いて、無線端末との間で無線信号の送信及び受信を行うアダプティブアレイ方式の無線基地局であって、
第１の無線端末からの第１の既知信号と第２の無線端末からの第２の既知信号とを受信する受信部と、
前記第１の既知信号の周波数帯の受信信号から前記第２の既知信号による干渉成分をキャンセルし、キャンセル後の信号に基づいて、前記第１の無線端末との無線通信に利用するアンテナウェイトを算出する制御部と、を備え、
前記制御部は、前記第１の既知信号及び前記第２の既知信号のそれぞれの周波数帯の変化を規定する情報と、前記第１の無線端末及び前記第２の無線端末のそれぞれに割り当てられた上りリソースブロックの情報とに基づいて、前記第１の既知信号及び前記第２の既知信号の周波数が重複する又は当該周波数の間隔が所定値以内であり、且つ、前記第１の既知信号と前記第２の既知信号とを同一のタイミングで受信すると判定した場合に、前記干渉成分のキャンセルを開始する無線基地局。
【請求項２】
前記受信部は、前記無線基地局に接続されている前記第１の無線端末及び前記第２の無線端末から前記第１の既知信号及び前記第２の既知信号を受信する請求項１に記載の無線基地局。
【請求項３】
前記受信部は、前記無線基地局に接続されている前記第１の無線端末及び他の無線基地局に接続されている前記第２の無線端末から前記第１の既知信号及び前記第２の既知信号を受信し、
前記制御部は、前記他の無線基地局からの前記第２の既知信号の周波数帯の変化を規定する情報及び前記第２の無線端末に割り当てられた前記上りリソースブロックの情報を受信する請求項１に記載の無線基地局。
【請求項４】
複数のアンテナを用いて、無線端末との間で無線信号の送信及び受信を行うアダプティブアレイ方式の無線基地局における通信制御方法であって、
前記無線基地局が、第１の無線端末からの第１の既知信号と第２の無線端末からの第２の既知信号とを受信するステップと、
前記無線基地局が、前記第１の既知信号の周波数帯の受信信号から前記第２の既知信号による干渉成分をキャンセルするステップと、
前記無線基地局が、キャンセル後の信号に基づいて、前記第１の無線端末との無線通信に利用するアンテナウェイトを算出するステップと、を含み、
前記干渉成分をキャンセルするステップにおいて、前記無線基地局は、前記第１の既知信号及び前記第２の既知信号のそれぞれの周波数帯の変化を規定する情報と、前記第１の無線端末及び前記第２の無線端末のそれぞれに割り当てられた上りリソースブロックの情報とに基づいて、前記第１の既知信号及び前記第２の既知信号の周波数が重複する又は当該周波数の間隔が所定値以内であり、且つ、前記第１の既知信号と前記第２の既知信号とを同一のタイミングで受信すると判定した場合に、前記干渉成分のキャンセルを開始する通信制御方法。
【発明の詳細な説明】
【技術分野】
【０００１】
本発明は、複数のアンテナを用いて、無線端末との間で無線信号の送信及び受信を行う無線基地局、及び、当該無線基地局における通信制御方法に関する。
【背景技術】
【０００２】
３ＧＰＰ（Third Generation Partnership Project）において、規格が策定されたＬＴＥ（Long Term Evolution）に対応する無線通信システムでは、無線基地局ｅＮＢと無線端末ＵＥとの間の無線通信において、無線基地局ｅＮＢが無線リソースの割り当てを行っている（例えば、非特許文献１参照）。また、ＬＴＥに対応する無線通信システムでは、無線基地局ｅＮＢと無線端末ＵＥとの間の無線通信に、周波数分割複信（ＦＤＤ：Firequency Division Duplex）と、時分割複信（ＴＤＤ：Time Division Duplex）との何れかが採用される。
【０００３】
更に、ＴＤＤを採用するＬＴＥ（ＴＤＤ−ＬＴＥ）の無線通信システムでは、無線基地局ｅＮＢと、移動する無線端末ＵＥとの間の通信品質を確保すべく、無線基地局ｅＮＢが、下りの無線信号の送信時に無線端末ＵＥの方向へ適応的にビームを向け、他の無線端末ＵＥの方向にヌルを向ける制御（アダプティブアレイ制御）を行うことが検討されている。
【０００４】
アダプティブアレイ制御では、上りの無線リソースであるリソースブロックを用いて無線端末ＵＥから無線基地局ｅＮＢへサウンディング用の参照信号（ＳＲＳ：Sounding Reference Signal）が送信され、無線基地局ｅＮＢは、当該ＳＲＳに基づいて、上りの無線信号に対するアンテナウェイトを算出する。
【先行技術文献】
【非特許文献】
【０００５】
【非特許文献１】3GPP TS 36.211 V8.7.0 ”Physical Channels and Moduration”, MAY 2009
【発明の概要】
【発明が解決しようとする課題】
【０００６】
しかしながら、無線基地局ｅＮＢが形成するセル内に存在する複数の無線端末ＵＥが、同一の周波数且つ同一の時間帯のＳＲＳを送信する場合がある。また、無線基地局ｅＮＢが形成するセル内に存在する無線端末ＵＥと、他の無線基地局ｅＮＢが形成するセル（他セル）内に存在する無線端末ＵＥとが、同一の周波数且つ同一の時間帯のＳＲＳを送信する場合がある。このような場合に、無線基地局ｅＮＢが単に受信したＳＲＳに基づいて、上りの無線信号に対するアンテナウェイトを算出すると、ビームフォーミングやヌルステアリングの性能が劣化する。
【０００７】
上記問題点に鑑み、本発明は、適切なアダプティブアレイ制御を可能とした無線基地局及び通信制御方法を提供することを目的とする。
【課題を解決するための手段】
【０００８】
上述した課題を解決するために、本発明は以下のような特徴を有している。本発明の特徴は、複数のアンテナ（アレイアンテナ１０８Ａ、アレイアンテナ１０８Ｂ、アレイアンテナ１０８Ｃ、アレイアンテナ１０８Ｄ）を用いて、無線端末（ＵＥ２−１Ａ、ＵＥ２−１Ｂ）との間で無線信号の送信及び受信を行うアダプティブアレイ方式の無線基地局（ｅＮＢ１−１）であって、第１の無線端末からの第１の既知信号と第２の無線端末からの第２の既知信号とを受信する受信部と、前記第１の既知信号の周波数帯の受信信号から前記第２の既知信号による干渉成分をキャンセルし、キャンセル後の信号に基づいて、前記第１の無線端末との無線通信に利用するアンテナウェイト（送信ウェイト）を算出する制御部（制御部１０２、受信処理部１２２、ＡＡＳ演算部１２６）と、を備え、前記制御部は、前記第１の既知信号及び前記第２の既知信号のそれぞれの周波数帯の変化を規定する情報と、前記第１の無線端末及び前記第２の無線端末のそれぞれに割り当てられた上りリソースブロックの情報とに基づいて、前記第１の既知信号及び前記第２の既知信号の周波数が重複する又は当該周波数の間隔が所定値以内であり、且つ、前記第１の既知信号と前記第２の既知信号とを同一のタイミングで受信すると判定した場合に、前記干渉成分のキャンセルを開始することを要旨とする。
【０００９】
このような無線基地局は、周波数が重複する又は周波数の間隔が所定値以内である、第１の既知信号と第２の既知信号とを受信した場合に、第１の既知信号の周波数帯の受信信号から第２の既知信号による干渉成分をキャンセルし、キャンセル後の信号に基づいて、第１の既知信号の送信元である第１の無線端末との無線通信に利用するアンテナウェイトを算出する。従って、受信信号から、第１の既知信号にとって干渉となる第２の既知信号が排除された上で、第１の既知信号の送信元である第１の無線端末のためのアンテナウェイトが算出されることになり、ビームフォーミングやヌルステアリングの性能が劣化することが防止される。
【００１０】
本発明の特徴は、前記受信部は、前記無線基地局に接続されている前記第１の無線端末及び前記第２の無線端末から前記第１の既知信号及び前記第２の既知信号を受信することを要旨とする。
【００１１】
本発明の特徴は、前記受信部は、前記無線基地局に接続されている前記第１の無線端末及び他の無線基地局に接続されている前記第２の無線端末から前記第１の既知信号及び前記第２の既知信号を受信し、前記制御部は、前記他の無線基地局からの前記第２の既知信号の周波数帯の変化を規定する情報及び前記第２の無線端末に割り当てられた前記上りリソースブロックの情報を受信することを要旨とする。
【００１２】
本発明の特徴は、複数のアンテナを用いて、無線端末との間で無線信号の送信及び受信を行うアダプティブアレイ方式の無線基地局における通信制御方法であって、前記無線基地局が、第１の無線端末からの第１の既知信号と第２の無線端末からの第２の既知信号とを受信するステップと、前記無線基地局が、前記第１の既知信号の周波数帯の受信信号から前記第２の既知信号による干渉成分をキャンセルするステップと、前記無線基地局が、キャンセル後の信号に基づいて、前記第１の無線端末との無線通信に利用するアンテナウェイトを算出するステップと、を含み、前記干渉成分をキャンセルするステップにおいて、前記無線基地局は、前記第１の既知信号及び前記第２の既知信号のそれぞれの周波数帯の変化を規定する情報と、前記第１の無線端末及び前記第２の無線端末のそれぞれに割り当てられた上りリソースブロックの情報とに基づいて、前記第１の既知信号及び前記第２の既知信号の周波数が重複する又は当該周波数の間隔が所定値以内であり、且つ、前記第１の既知信号と前記第２の既知信号とを同一のタイミングで受信すると判定した場合に、前記干渉成分のキャンセルを開始することを要旨とする。
【発明の効果】
【００１３】
本発明によれば、適切なアダプティブアレイ制御が可能となる。
【図面の簡単な説明】
【００１４】
【図１】本発明の実施形態に係る無線通信システムの全体概略構成図である。
【図２】本発明の実施形態に係る無線基地局の構成図である。
【図３】本発明の実施形態に係るリソースブロックの割り当ての一例を示す図である。
【図４】本発明の実施形態に係る無線通信システムの動作を示すシーケンス図である。
【発明を実施するための形態】
【００１５】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００１６】
（１）無線通信システムの構成
本発明の実施形態に係る無線通信システムの構成について、（１．１）無線通信システムの全体概略構成、（１．２）無線基地局の構成、（１．３）無線端末の構成の順に説明する。
【００１７】
（１．１）無線通信システムの全体概略構成
図１は、本発明の実施形態に係る無線通信システム１０の全体概略構成図である。
【００１８】
図１に示す無線通信システム１０は、ＴＤＤ−ＬＴＥの無線通信システムである。無線通信システム１０は、無線基地局ｅＮＢ１−１及び無線基地局ｅＮＢ１−２と、無線端末ＵＥ２−１Ａ、無線端末ＵＥ２−１Ｂ、無線端末ＵＥ２−２Ａとを含む。図１において、無線基地局ｅＮＢ１−１及び無線基地局ｅＮＢ１−２は、Ｅ−ＵＴＲＡＮ（Evolved-UMTS Terrestrial Radio Access Network）を構成する。無線端末ＵＥ２−１Ａ及び無線端末ＵＥ２−１Ｂは、無線基地局ｅＮＢ１−１が提供する通信可能エリアであるセル３−１に存在する。無線端末ＵＥ２−２Ａは、無線基地局ｅＮＢ１−２が提供する通信可能エリアであるセル３−２に存在する。以下、無線基地局ｅＮＢ１−１及び無線基地局ｅＮＢ１−２をまとめて、適宜「無線基地局ｅＮＢ１」と称し、無線端末ＵＥ２−１Ａ、無線端末ＵＥ２−１Ｂ及び無線端末ＵＥ２−２Ａをまとめて、適宜「無線端末ＵＥ２」と称する。
【００１９】
無線基地局ｅＮＢ１−１と無線端末ＵＥ２−１Ａ及び無線端末ＵＥ２−１Ｂとの間の無線通信と、無線基地局ｅＮＢ１−２と無線端末ＵＥ２−２Ａとの間の無線通信とには、時分割複信が採用されるとともに、下りの無線通信にはＯＦＤＭＡ（Orthogonal Frequency Division Multiplexing Access）、上りの無線通信にはＳＣ−ＦＤＭＡ（Single Carrier Frequency Division Multiple Access）が採用される。ここで、下りとは、無線基地局ｅＮＢ１から無線端末ＵＥ２へ向かう方向を意味し、上りとは、無線端末ＵＥ２から無線基地局ｅＮＢ１へ向かう方向を意味する。
【００２０】
無線基地局ｅＮＢ１−１は、セル３−１内の無線端末ＵＥ２−１Ａ及び無線端末ＵＥ２−１Ｂに対して、無線リソースとしてのリソースブロック（ＲＢ：Resource Block）を割り当てる。同様に、無線基地局ｅＮＢ１−２は、セル３−２内の無線端末ＵＥ２−２Ａに対して、リソースブロックを割り当てる。
【００２１】
リソースブロックは、下りの無線通信に用いられる下りリソースブロック（下りＲＢ）と、上りの無線通信に用いられる上りリソースブロック（上りＲＢ）とがある。複数の下りリソースブロックは、周波数方向に配列される。同様に、複数の上りリソースブロックは、周波数方向に配列される。
【００２２】
下りリソースブロックは、時間方向に、下りの制御情報伝送用の制御情報チャネル（ＰＤＣＣＨ：Physical Downlink Control CHannel）と、下り方向のユーザデータ伝送用の共有データチャネル（ＰＤＳＣＨ：Physical Downlink Shared CHannel）とにより構成される。
【００２３】
一方、上りリソースブロックは、上りの無線通信に使用可能な全周波数帯の両端では、上りの制御情報伝送用の制御情報チャネル（ＰＵＣＣＨ：Physical Uplink Control CHannel）が構成され、中央部では、上りのユーザデータ伝送用の共有データチャネル（ＰＵＳＣＨ：Physical Uplink Shared CHannel）が構成される。
【００２４】
（１．２）無線基地局の構成
図２は、無線基地局ｅＮＢ１−１の構成図である。図２に示すように、無線基地局ｅＮＢ１−１は、アダプティブアレイ方式の無線基地局であり、制御部１０２、記憶部１０３、Ｉ／Ｆ部１０４、無線周波数（ＲＦ：Radio Frequency）受信処理部１０５、ベースバンド（ＢＢ：Base band）処理部１０６、ＲＦ送信処理部１０７、アレイアンテナ１０８Ａ、アレイアンテナ１０８Ｂ、アレイアンテナ１０８Ｃ、アレイアンテナ１０８Ｄを含む。なお、無線基地局ｅＮＢ１−２も同様の構成である。
【００２５】
制御部１０２は、例えばＣＰＵによって構成され、無線基地局ｅＮＢ１が具備する各種機能を制御する。制御部１０２は、ＲＢ割当部１２０を含む。記憶部１０３は、例えばメモリによって構成され、無線基地局ｅＮＢ１における制御などに用いられる各種情報を記憶する。Ｉ／Ｆ部１０４は、Ｘ１インタフェースを介して、他の無線基地局ｅＮＢ１−２との間で通信可能である。また、Ｉ／Ｆ部１０４は、Ｓ１インターフェースを介して、図示しない上位ノードであるＥＰＣ（Evolved Packet Core）、具体的には、ＭＭＥ（Mobility Management Entity）／Ｓ−ＧＷ（Serving Gateway）と通信可能である。
【００２６】
ＲＦ受信処理部１０５は、アレイアンテナ１０８Ａ乃至アレイアンテナ１０８Ｄを介して、無線端末ＵＥ２−１Ａ及び無線端末ＵＥ２−１Ｂからの無線周波数帯の上り無線信号を受信する。無線端末ＵＥ２−１Ａ及び無線端末ＵＥ２−１Ｂからの上り無線信号の送信には、当該無線端末ＵＥ２−１Ａ及び無線端末ＵＥ２−１Ｂに割り当てられた上りリソースブロックが用いられる。
【００２７】
ＲＦ受信処理部１０５は、図示しないローノイズアンプ（ＬＮＡ：Low Noise Amplifier）、ミキサを内蔵している。ＲＦ受信処理部１０５は、受信した無線周波数帯の上り無線信号を増幅し、ベースバンド信号に変換（ダウンコンバート）する。更に、ＲＦ受信処理部１０５は、ベースバンド信号をＢＢ処理部１０６へ出力する。
【００２８】
制御部１０２は、媒体アクセス制御（ＭＡＣ：Media Access Control）層の処理によって、無線端末ＵＥ２−１Ａ及び無線端末ＵＥ２−１Ｂに対して、無線リソースである上りリソースブロック及び下りリソースブロックを割り当てる。
【００２９】
制御部１０２内のＲＢ割当部１２０は、リソースブロックの割り当て値（ＲＢ割当値）を取得する。このＲＢ割当値は、無線端末ＵＥ２−１Ａ及び無線端末ＵＥ２−１Ｂに対して割り当てられる１又は複数の下りリソースブロック及び１又は複数の上りリソースブロックの識別情報であるリソースブロック番号、割り当てのタイミングに対応するサブフレームの識別情報であるサブフレーム番号、割り当てられるリソースブロックの周波数帯域幅の情報を含む。
【００３０】
図３は、上りリソースブロックの割り当ての一例を示す図である。図３に示すように、上りリソースブロックは、時間方向では、１［ｍｓ］の時間長を有するサブフレームによって構成される。サブフレームは、前半のタイムスロット（タイムスロット１）と、後半のタイムスロット（タイムスロット２）とにより構成される。
【００３１】
また、図３に示すように、上りリソースブロックは、周波数方向では、１８０［ｋＨｚ］の周波数幅を有する。また、上りリソースブロックは、１５［ｋＨｚ］の周波数幅を有する１２個のサブキャリアＦ１乃至Ｆ１２からなる。
【００３２】
図３の例では、サブフレームにおいて、１２個のサブキャリアのうち、奇数番号のサブキャリアのタイムスロット１は、無線端末ＵＥ２−１Ａに割り当てられ、当該無線端末ＵＥ２−１ＡからのＳＲＳが含まれる。また、偶数番号のサブキャリアのタイムスロット２は、無線端末ＵＥ２−１Ｂに割り当てられ、当該無線端末ＵＥ２−１ＢからのＳＲＳが含まれる。
【００３３】
制御部１０２は、無線端末ＵＥ２−１Ａ及び無線端末ＵＥ２−１Ｂ毎に、サイクリックシフト量を設定する。サイクリックシフト量は、無線端末ＵＥ２がサウンディング用の参照信号（ＳＲＳ：Sounding Reference Signal）の周波数帯の変化を規定する情報である。ＳＲＳの周波数帯は、サブフレームの時間の単位で変換する。
【００３４】
制御部１０２は、無線端末ＵＥ２−１Ａ及び無線端末ＵＥ２−１ＢのＳＲＳ情報と、無線端末ＵＥ２−１Ａ及び無線端末ＵＥ２−１ＢのＲＢ割当値とを、Ｉ／Ｆ部１０４を介して、無線基地局ｅＮＢ１−２へ送信する。送信されるＳＲＳ情報は、無線端末ＵＥ２−１Ａ及び無線端末ＵＥ２−１Ｂのサイクリックシフト量と、無線基地局ｅＮＢ１−１の識別情報であるセルＩＤとを含む。
【００３５】
制御部１０２は、無線基地局ｅＮＢ１−２から送信されるＳＲＳ情報と、ＲＢ割当値とを、Ｉ／Ｆ部１０４を介して受信する。受信されたＳＲＳ情報は、無線端末ＵＥ２−２Ａの情報である、サイクリックシフト量と無線基地局ｅＮＢ１−２の識別情報であるセルＩＤとを含む。受信されるＲＢ割当値は、無線端末ＵＥ２−２Ａに対して割り当てられる下りリソースブロック及び上りリソースブロックの識別情報であるリソースブロック番号、割り当てのタイミングに対応するサブフレームの識別情報であるサブフレーム番号、割り当てられるリソースブロックの周波数帯域幅の情報を含む。
【００３６】
制御部１０２は、無線端末ＵＥ２−１Ａ、無線端末ＵＥ２−１Ｂ及び無線端末ＵＥ２−２Ａ毎のＳＲＳ情報及びＲＢ割当値を、メモリ１２１に記憶させる。
【００３７】
ＢＢ処理部１０６は、受信処理部１２２、ＡＡＳ（Adaputive Array System）演算部１２６、チャネル等化部１２８、ＩＤＦＴ（Inverse Discrete Fourier Transform）処理部１３０、復調復号部１３２、符号化変調部１３４、ＡＡＳ処理部１３６、送信処理部１３８を有する。
【００３８】
受信処理部１２２は、入力されたベースバンド信号からＣＰ（Cyclic Prefix）を除去する。ＣＰは、ＯＦＤＭシンボルの終わりの部分の複製であり、マルチパスによって引き起こされるシンボル間干渉を抑制するために設けられたガード・インターバルの期間に含まれる。
【００３９】
受信処理部１２２は、ＣＰが除去されたベースバンド信号に対して、高速フーリエ変換（ＦＦＴ：Fast Fourier Transform）処理を行い、周波数領域の信号を得る。
【００４０】
次に、受信処理部１２２は、メモリ１２１に記憶された、無線端末ＵＥ２−１Ａ、無線端末ＵＥ２−１Ｂ及び無線端末ＵＥ２−２ＡのＳＲＳ情報及びＲＢ割当値に基づいて、周波数領域の受信信号から、干渉成分をキャンセルする。
【００４１】
具体的には、受信処理部１２２は、各ＳＲＳ情報に基づいて、無線端末ＵＥ２−１Ａ、無線端末ＵＥ２−１Ｂ及び無線端末ＵＥ２−２Ａのサイクリックシフト量を認識する。受信処理部１２２は、各ＲＢ割当値に基づいて、無線端末ＵＥ２−１Ａ、無線端末ＵＥ２−１Ｂ及び無線端末ＵＥ２−２Ａのそれぞれに割り当てられている１又は複数の上りリソースブロックを認識する。
【００４２】
次に、受信処理部１２２は、認識したサイクリックシフト量と認識した１又は複数の上りリソースブロックとに基づいて、ＳＲＳの受信タイミングにおいて、無線端末ＵＥ２−１ＡからのＳＲＳの周波数帯と、無線端末ＵＥ２−１Ｂ及び無線端末ＵＥ２−２ＡからのＳＲＳの周波数帯とが同一又は隣接する（所定値以内である）か否かを判定する。ここで、無線端末ＵＥ２−１ＡからのＳＲＳの周波数帯と、無線端末ＵＥ２−１ＢからのＳＲＳの周波数帯とが同一である場合には、ＳＲＳの多重化が行われている。
【００４３】
ＳＲＳの受信タイミングにおいて、無線端末ＵＥ２−１ＡからのＳＲＳ（第１ＳＲＳ）の周波数帯と、無線端末ＵＥ２−１Ｂ（第２ＳＲＳ）の周波数帯及び無線端末ＵＥ２−２ＡからのＳＲＳ（第３ＳＲＳ）の周波数帯の少なくとも何れかとが同一又は隣接する場合、第２ＳＲＳ及び第３ＳＲＳの少なくとも何れかは、第１ＳＲＳに対する干渉成分となる。
【００４４】
この場合、受信処理部１２２は、第２ＳＲＳ及び第３ＳＲＳの少なくとも何れかをキャンセルすべき信号であると決定する。更に、受信処理部１２２は、周波数領域の信号を、所望周波数成分である第１ＳＲＳの成分と、干渉成分である第２ＳＲＳ及び第３ＳＲＳの少なくとも何れかの成分とに分離する。更に、受信処理部１２２は、第１ＳＲＳの成分に対応する周波数領域の信号を、ＡＡＳ演算部１２６へ出力する。
【００４５】
ＡＡＳ演算部１２６は、第１ＳＲＳに基づいて、各アレイアンテナ１０８Ａ乃至アレイアンテナ１０８Ｄについて、下り無線信号の送信時のアンテナウェイト（送信ウェイト）を算出する。ＡＡＳ演算部１２６は、送信ウェイトを制御部１０２へ出力する。制御部１０２は、送信ウェイトをＡＡＳ処理部１３６へ出力する。また、ＡＡＳ演算部１２６は、周波数領域の信号をチャネル等化部１２８へ出力する。
【００４６】
チャネル等化部１２８は、周波数領域の信号に対して、チャネル等化処理を行う。ＩＤＦＴ処理部１３０は、チャネル等化処理がなされた信号に対して、逆離散フーリエ変換を行う。復調復号部１３２は、逆離散フーリエ変換がなされた信号に対して復調及び復号処理を行う。これにより、無線端末ＵＥ２−１Ａが送信したデータが得られる。データは制御部１０２へ出力される。
【００４７】
符号化変調部１３４は、制御部１０２からのデータが入力されると、当該データに対して符号化及び変調を行い、周波数領域の信号を得る。
【００４８】
ＡＡＳ処理部１３６は、各アレイアンテナ１０８Ａ乃至アレイアンテナ１０８Ｄについて、無線端末ＵＥ２−１Ａに対する下り無線信号の送信時のアンテナウェイト（送信ウェイト）を設定する。送信ウェイトは、制御部１０２から出力されたものである。
【００４９】
送信処理部１３８は、周波数領域の信号に対して、逆高速フーリエ変換を行い、ベースバンド信号を得る。送信処理部１３８は、入力されたベースバンド信号にＣＰを付加し、ＣＰが付加されたベースバンド信号をＲＦ送信処理部１０７へ出力する。
【００５０】
ＲＦ送信処理部１０７は、図示しないミキサ、パワーアンプを内蔵している。ＲＦ送信処理部１０７は、ＣＰが付加されたベースバンド信号を無線周波数帯の下り無線信号に変換（アップコンバート）する。更に、ＲＦ送信処理部１０７は、無線周波数帯の下り無線信号を増幅し、増幅後の無線周波数帯の下り無線信号を、送信ウェイトが設定されたアレイアンテナ１０８Ａ乃至アレイアンテナ１０８Ｄを介して送信する。
【００５１】
（２）無線通信システムの動作
図４は、無線通信システム１０の第１の動作を示すシーケンス図である。以下においては、無線基地局ｅＮＢ１−１が、無線端末ＵＥ２−１Ａの送信ウェイトを算出、設定する場合を例に説明する。
【００５２】
ステップＳ１０１において、無線端末ＵＥ２−１Ａ、無線端末ＵＥ２−１Ｂ及び無線端末ＵＥ２−２Ａは、無線周波数帯の上り無線信号を送信する。無線基地局ｅＮＢ１−１は、無線端末ＵＥ２−１Ａ、無線端末ＵＥ２−１Ｂ及び無線端末ＵＥ２−２Ａからの無線周波数帯の上り無線信号を受信する。
【００５３】
ステップＳ１０２において、無線基地局ｅＮＢ１−１は、周波数領域の受信信号から、干渉成分をキャンセルする必要があるか否かを判定する。干渉をキャンセルする必要がある場合、ステップＳ１０３において、無線基地局ｅＮＢ１−１は、周波数領域の受信信号から、第１ＳＲＳに対する干渉成分（第２ＳＲＳ及び第３ＳＲＳ）をキャンセルする。
【００５４】
ステップＳ１０４において、無線基地局ｅＮＢ１−１は、キャンセル後の周波数領域の受信信号に基づいて、無線端末ＵＥ２−１Ａの送信ウェイトを算出する。
【００５５】
ステップＳ１０５において、無線基地局ｅＮＢ１−１は、各アレイアンテナ１０８Ａ乃至アレイアンテナ１０８Ｄについて、送信ウェイトを設定する。
【００５６】
ステップＳ１０６において、無線基地局ｅＮＢ１−１は、送信ウェイトが設定されたアレイアンテナ１０８Ａ乃至アレイアンテナ１０８Ｄを介して、無線端末ＵＥ２−１Ａに対して、下り無線信号を送信する。
【００５７】
（３）作用・効果
以上説明したように、本実施形態によれば、無線基地局ｅＮＢ１−１は、上り無線信号であるＳＲＳから無線端末ＵＥ２−１Ａに対する下り無線信号の送信に用いる送信ウェイトを算出する。この際、無線基地局ｅＮＢ１−１は、受信信号から、無線端末ＵＥ２−１Ａからの第１ＳＲＳに対する干渉成分である、無線端末ＵＥ２−１Ｂからの第２ＳＲＳと、無線端末ＵＥ２−２Ａからの第３ＳＲＳをキャンセルし、キャンセル後の受信信号に基づいて、送信ウェイトを算出する。
【００５８】
従って、受信信号から、第１ＳＲＳにとって干渉となる第２ＳＲＳ及び第３ＳＲＳがキャンセルされた上で、無線端末ＵＥ２−１Ａのための送信ウェイトが算出されることになり、ビームフォーミングやヌルステアリングの性能が劣化することが防止される。また、第２ＳＲＳ及び第３ＳＲＳがキャンセルされるため、送信ウェイトの算出において、ヌルを向けるべき無線端末ＵＥ２の数が減る。従って、ヌルを向けるべき無線端末ＵＥ２が減ることにより、ヌルステアリングの性能が向上する。
【００５９】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６０】
上述した実施形態では、無線基地局ｅＮＢ１は、ＳＲＳに基づいて、受信ウェイトを算出したが、上り無線信号に含まれる他の信号に基づいて、受信ウェイトを設定してもよい。
【００６１】
上述した実施形態では、ＴＤＤ−ＬＴＥの無線通信システムについて説明したが、無線端末に割り当てられる上り無線信号の周波数帯と、下り無線信号の周波数帯とが異なる、上下非対称通信が採用される無線通信システムであれば、同様に本発明を適用できる。
【００６２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６３】
ｅＮＢ１−１、ｅＮＢ１−２…無線基地局、ＵＥ２−１Ａ、ＵＥ２−１Ｂ、ＵＥ２−２Ａ…無線端末、３−１、３−２…セル、１０…無線通信システム、１０２…制御部、１０３…記憶部、１０４…Ｉ／Ｆ部、１０５…ＲＦ受信処理部、１０６…ＢＢ処理部、１０７…ＲＦ送信処理部、１０８Ａ、１０８Ｂ、１０８Ｃ、１０８Ｄ…アレイアンテナ、１２０…ＲＢ割当部、１２１…メモリ、１２２…受信処理部、１２６…ＡＡＳ演算部、１２８…チャネル等化部、１３０…ＩＤＦＴ処理部、１３２…復調復号部、１３４…符号化変調部、１３６…ＡＡＳ処理部、１３８…送信処理部
【図１】
0005743716.tif 000002
【図２】
0005743716.tif 000003
【図３】
0005743716.tif 000004
【図４】
0005743716.tif 000005